(57)【要約】【課題】本発明は、上部材と下部材を固定することができ、上部材と下部材を容易に取り外すことも可能な着脱用アンカーピンを提供することを目的とするものである。【解決手段】本発明は、真っ直ぐな平坦部、前記平坦部の上に連設され下部から上部に向かって狭くなるテーパー部、及び前記テーパー部の上に連設され狭くなった部分を真っ直ぐに延ばした先端部からなる棒状のピンと、前記ピンに被せるために下面から上面に向けて狭くなり奥で真っ直ぐとなる貫通しない孔を空けた筒状の鞘と、前記鞘の下面に設けた円板状の鍔とからなり、前記ピンの平坦部を下部材に固定し、前記ピンの上半分に被せた鞘を上部材に嵌合することにより、上下部材を着脱可能に連結することを特徴とする着脱用アンカーピンの構成とした。【選択図】図１
2008291907.tif 000002
【特許請求の範囲】
【請求項１】
真っ直ぐな平坦部、前記平坦部の上に連設され下部から上部に向かって狭くなるテーパー部及び前記テーパー部の上に連設され狭くなった部分を真っ直ぐに延ばした先端部からなる棒状のピンと、前記ピンに被せるために下面から上面に向けて狭くなり奥で真っ直ぐとなる貫通しない孔を空けた筒状の鞘と、前記鞘の下面に設けた円板状の鍔とからなり、前記ピンの平坦部を下部材に固定し、前記ピンの上半分に被せた鞘を上部材に嵌合することにより、上下部材を着脱可能に連結することを特徴とする着脱用アンカーピン。
【請求項２】
鞘の孔奥に複数の突起を設けて、挿入したピンを固定することを特徴とする請求項１に記載の着脱用アンカーピン。
【請求項３】
ピンの平坦部に多数の溝又は複数の凹部を設けて、下部材への接着を強固にすることを特徴とする請求項１又は２に記載の着脱用アンカーピン。
【請求項４】
ピンのテーパー部に複数の窪みを設けて、鞘への着脱を容易にしたことを特徴とする請求項１乃至３に記載の着脱用アンカーピン。
【発明の詳細な説明】
【技術分野】
【０００１】
本発明は、上部材と下部材を固定することができ、上部材と下部材を容易に取り外すことも可能な着脱用アンカーピンに関するものである。
【背景技術】
【０００２】
石やコンクリートの壁などには、他の部材等を接続したり固定するためにアンカーピンを取り付けることがある。
【０００３】
特許文献１に記載されているように、硬い壁面や比較的脆弱な壁面に対して十分な固定強度を持ちながら、取り付け、取り外し及び回収作業が簡便な仮設用設備の用途にも適したアンカーの発明も公開されている。
【特許文献１】特開２００２−２５７１１６号公報
【発明の開示】
【発明が解決しようとする課題】
【０００４】
しかしながら、特許文献１に記載の発明は、アンカーピン自体の着脱を簡単にしたものであり、アンカーピンにより連結した上下部材の着脱を容易にするためにアンカーピンを用いている訳ではない。
【０００５】
そこで、本発明は、上部材と下部材を固定することができ、上部材と下部材を容易に取り外すことも可能な着脱用アンカーピンを提供することを目的とするものである。
【課題を解決するための手段】
【０００６】
本発明は、上記の課題を解決するために、真っ直ぐな平坦部３ａ、前記平坦部３ａの上に連設され下部から上部に向かって狭くなるテーパー部３ｂ、及び前記テーパー部３ｂの上に連設され狭くなった部分を真っ直ぐに延ばした先端部３ｃからなる棒状のピン３と、前記ピン３に被せるために下面から上面に向けて狭くなり奥で真っ直ぐとなる貫通しない孔２ｂを空けた筒状の鞘２と、前記鞘２の下面に設けた円板状の鍔２ａとからなり、前記ピン３の平坦部３ａを下部材４に固定し、前記ピン３の上半分に被せた鞘２を上部材５に嵌合することにより、上下部材４、５を着脱可能に連結することを特徴とする着脱用アンカーピン１の構成とした。
【発明の効果】
【０００７】
本発明は、以上の構成であるから以下の効果が得られる。第１に、ステンレスのピンの下半分を下部材に固定し、ピンの上半分に被せたＰＶＣの鞘に、上部材の孔を嵌め込むことで、上部材と下部材とを容易に連結したり、取り外したりすることができる。
【０００８】
第２に、ピンの上半分をテーパー状にし、狭くなった先端を垂直にすると共に、ＰＶＣの鞘の孔の入口をテーパー状にし、狭くなった奥を垂直して６箇所の突起を設けることで、鞘に差し込んだピンをしっかりと接続することができる。
【０００９】
第３に、鞘に孔を垂直に空けることは困難であるが、鞘に鍔を設けることにより、ピンを孔に垂直に挿すことができるようになる。尚、鞘は目地のための隙間に収めることが可能である。
【発明を実施するための最良の形態】
【００１０】
本発明は、上部材と下部材を固定することができ、上部材と下部材を容易に取り外すことができるようにするという目的を、真っ直ぐな平坦部、前記平坦部の上に連設され下部から上部に向かって狭くなるテーパー部、及び前記テーパー部の上に連設され狭くなった部分を真っ直ぐに延ばした先端部からなる棒状のピンと、前記ピンに被せるために下面から上面に向けて狭くなり奥で真っ直ぐとなる貫通しない孔を空けた筒状の鞘と、前記鞘の下面に設けた円板状の鍔とからなり、前記ピンの平坦部を下部材に固定し、前記ピンの上半分に被せた鞘を上部材に嵌合することにより、上下部材を着脱可能に連結することを特徴とする着脱用アンカーピンにより実現した。
【実施例１】
【００１１】
以下に、添付図面に基づいて、本発明である着脱用アンカーピンについて詳細に説明する。
【００１２】
着脱用アンカーピン１は、真っ直ぐな平坦部３ａ、前記平坦部３ａの上に連設され下部から上部に向かって狭くなるテーパー部３ｂ、及び前記テーパー部３ｂの上に連設され狭くなった部分を真っ直ぐに延ばした先端部３ｃからなる棒状のピン３と、前記ピン３に被せるために下面から上面に向けて狭くなり奥で真っ直ぐとなる貫通しない孔２ｂを空けた筒状の鞘２と、前記鞘２の下面に設けた円板状の鍔２ａとからなり、前記ピン３の平坦部３ａを下部材４に固定し、前記ピン３の上半分に被せた鞘２を上部材５に嵌合することにより、上下部材４、５を着脱可能に連結することを特徴とする。
【００１３】
図１は、本発明である着脱用アンカーピンの斜視図である。
【００１４】
着脱用アンカーピン１は、ステンレス等の金属を棒状に加工したピン３に、ＰＶＣ（ポリ塩化ビニル）等の樹脂を円筒状に成形し、下面に円盤状の鍔２ａを取り付けた鞘２を被せたものである。
【００１５】
図２は、本発明である着脱用アンカーピンの鞘の平面図及び正面図及び底面図である。尚、上図が平面図、中図が正面図、下図が底面図である。
【００１６】
鞘２は円筒状であるが、平面図に示すように、鞘２の外周２ｅは上面２ｃ側より付け根２ｄ側の方が若干径が大きい。さらに、鞘２の外周２ｅを取り囲むように鍔２ａが存在する。鍔２ａは付け根２ｄの位置から外側に拡がるドーナツ状の円盤である。
【００１７】
鞘２の付け根２ｄには水平方向で且つ外方に向かって鍔２ａが設けられ、下面中央から上面に向かってピン３を挿すための円形の孔２ｂが空けられる。尚、正面図において鞘２の内周２ｆを点線で示しているように、鞘２の内部は孔２ｂにより中空である。
【００１８】
孔２ｂは鍔２ａを貫通し、入口側から孔奥２ｇに向かって徐々に狭まり、孔奥２ｇにおいて真っ直ぐとなる。尚、平面図において孔奥２ｇを点線で示しているように、孔２ｂは上面２ｃ側に貫通しない。
【００１９】
図３は、本発明である着脱用アンカーピンの鞘の孔奥における横断面図及び縦断面図である。尚、上図が水平に切断した横断面図、下図が垂直に切断した縦断面図である。
【００２０】
鞘２の内周２ｆは孔奥２ｇにおいてテーパー状から真っ直ぐな孔２ｂとなり、ピン３の先端が収まる。そこで、孔奥２ｇの内周２ｆの数ヶ所に、縦方向に長い小さな突起２ｈを形成しておく。
【００２１】
複数個の突起２ｈを設けることにより、挿したピン３の先端が孔奥２ｇにおいて突起２ｈに押さえられ、しっかりと固定することができる。尚、突起２ｈは、等間隔に６個程度設けることが好ましい。
【００２２】
図４は、本発明である着脱用アンカーピンのピンの斜視図である。図１の着脱用アンカーピン１から上に被さっている鞘２を外した状態である。
【００２３】
ピン３は、下半分が円柱状の平坦部３ａで、上半分が円錐台状のテーパー部３ｂで、上端が平坦部３ａより径の小さい円柱状の先端部３ｃである。
【００２４】
図５は、本発明である着脱用アンカーピンのピンの平面図及び正面図及び底面図である。尚、上図が平面図、中図が正面図、下図が底面図である。
【００２５】
平坦部３ａは、真っ直ぐな棒状の部分であり、連結する一方の部材に固定する。ピン３は、ステンレス等の金属であり、石やコンクリート等の部材に挿してから接着剤等で固着する。
【００２６】
テーパー部３ｂは、平坦部３ａの上側であり、外周は傾斜していて、上に行くに従い径が小さくなる。テーパー部３ｂの傾斜は、鞘２の孔２ｂの傾斜と同じであり、鞘２を被せた際に、テーパー部３ｂまでが覆われる。
【００２７】
先端部３ｃは、テーパー部３ｂの上側の真っ直ぐな棒状の部分である。鞘２の孔奥２ｇも真っ直ぐであり、先端部３ｃがちょうど収まる。また、孔奥２ｇの突起２ｈにより先端部３ｃが押さえられ、しっかりと固定される。
【００２８】
テーパー部３ｂ及び先端部３ｃを覆う鞘２は、連結する他方の部材に挿通される。鞘２は、ＰＶＣ等の樹脂であり、石やコンクリート等の部材に嵌めることにより固定することができる。
【００２９】
図４に記載のピン３は、標準的なピン３であり、用途に応じて適した加工を施すこともできる。例を図６から図８に示す。
【００３０】
図６は、本発明である着脱用アンカーピンのピンの平坦部に溝を設けた場合の斜視図である。図７は、本発明である着脱用アンカーピンのピンの平坦部に凹部を設けた場合の斜視図である。図８は、本発明である着脱用アンカーピンのピンのテーパー部に窪みを設けた場合の斜視図である。
【００３１】
図６では、ピン３の平坦部３ａの外周に沿って多数の溝３ｆを形成する。尚、溝３ｆは、螺旋状に形成してネジ状にしても良い。ピン３を石やコンクリートブロック等の部材に固定する際に、部材に穴をネジ状に空けておけば、ピン３を螺合させることができる。
【００３２】
図７では、ピン３の平坦部３ａの外周に沿って複数の凹部３ｇを形成する。凹部３ｇは、平坦部３ａの中で径が小さい部分である。尚、凹部３ｇは、２つ程度設ければ良い。ピン３を部材に固定する際に、部材の穴とピン３との間に流し込んだ接着剤が凹部３ｇに入れば、より固定力が増す。
【００３３】
図８では、ピン３のテーパー部３ｂの外周に沿って複数の窪み３ｈを形成する。窪み３ｈは、テーパー部３ｂに対し間欠的に傾斜を大きくした部分である。ピン３に鞘２を被せる際に、窪み３ｈによりピン３と鞘２との摩擦が小さくなるため、鞘２の着脱が容易となる。
【００３４】
図９は、本発明である着脱用アンカーピンを下部材に取り付けた状態の図である。図１０は、本発明である着脱用アンカーピンに上部材を被せた状態の図である。
【００３５】
まず、ピン３を鞘２に挿入し、ピン３の平坦部３ａを下部材４の上面に空けた穴４ａに入れる。下部材４には、予めピン３の径よりも大きい穴４ａを空けておき、穴４ａと平坦部３ａとの隙間には接着剤４ｂなどを流し込む。
【００３６】
接着剤４ｂが固まり、ピン３が固定されたら、上部材５の下面に空けた穴５ａに鞘２を嵌め込む。上部材５には、予め鞘２が通る程度の穴５ａを空けておく。着脱用アンカーピン１により下部材４と上部材５とが連結される。
【００３７】
尚、鞘２の鍔２ａは、下部材４と上部材５の間の目地５ｂに収めることができる。目地５ｂにセメント等を入れない場合でも、鍔２ａが下部材４と上部材５の間の緩衝材として機能する。
【００３８】
また、下部材４又は上部材５に鍔２ａに鍔２ａ用の溝を設けておけば、下部材４と上部材５の間を隙間なく積み重ねることもできる。
【００３９】
着脱用アンカーピン１により下部材４と上部材５の連結位置が特定され、位置がずれることを防止することができる。また、上部材５は接着されないことから容易に着脱することができる。
【００４０】
以上のように、本発明である着脱用アンカーピンは、ステンレスのピンの下半分を下部材に固定し、ピンの上半分に被せたＰＶＣの鞘に、上部材の孔を嵌め込むことで、上部材と下部材とを容易に連結したり、取り外したりすることができる。
【００４１】
また、ピンの上半分をテーパー状にし、狭くなった先端を垂直にすると共に、ＰＶＣの鞘の孔の入口をテーパー状にし、狭くなった奥を垂直して６箇所の突起を設けることで、鞘に差し込んだピンをしっかりと接続することができる。
【００４２】
さらに、鞘に孔を垂直に空けることは困難であるが、鞘に鍔を設けることにより、ピンを孔に垂直に挿すことができるようになる。尚、鞘は目地のための隙間に収めることが可能である。
【図面の簡単な説明】
【００４３】
【図１】本発明である着脱用アンカーピンの斜視図である。
【図２】本発明である着脱用アンカーピンの鞘の平面図及び正面図及び底面図である。
【図３】本発明である着脱用アンカーピンの鞘の孔奥における横断面図及び縦断面図である。
【図４】本発明である着脱用アンカーピンのピンの斜視図である。
【図５】本発明である着脱用アンカーピンのピンの平面図及び正面図及び底面図である。
【図６】本発明である着脱用アンカーピンのピンの平坦部に溝を設けた場合の斜視図である。
【図７】本発明である着脱用アンカーピンのピンの平坦部に凹部を設けた場合の斜視図である。
【図８】本発明である着脱用アンカーピンのピンのテーパー部に窪みを設けた場合の斜視図である。
【図９】本発明である着脱用アンカーピンを下部材に取り付けた状態の図である。
【図１０】本発明である着脱用アンカーピンに上部材を被せた状態の図である。
【符号の説明】
【００４４】
１        着脱用アンカーピン
２        鞘
２ａ      鍔
２ｂ      孔
２ｃ      上面
２ｄ      付け根
２ｅ      外周
２ｆ      内周
２ｇ      孔奥
２ｈ      突起
３        ピン
３ａ      平坦部
３ｂ      テーパー部
３ｃ      先端部
３ｄ      上面
３ｅ      下面
３ｆ      溝
３ｇ      凹部
３ｈ      窪み
４        下部材
４ａ      穴
４ｂ      接着剤
５        上部材
５ａ      穴
５ｂ      目地
【図１】
2008291907.tif 000003
【図２】
2008291907.tif 000004
【図３】
2008291907.tif 000005
【図４】
2008291907.tif 000006
【図５】
2008291907.tif 000007
【図６】
2008291907.tif 000008
【図７】
2008291907.tif 000009
【図８】
2008291907.tif 000010
【図９】
2008291907.tif 000011
【図１０】
2008291907.tif 000012